(57)【特許請求の範囲】
【請求項１】
脚部で支持された天板の後縁両側部に縦横に複数の貫通孔を一定間隔毎に形成したバックパネルを立設するとともに、両バックパネル間に幕体を設けてなるパネル付きデスクであって、前記バックパネルには、該バックパネルの下端を天板後縁に連結するとともに、側面視逆Ｌ字形の上部支持金具の一端を前記貫通孔を利用してバックパネルに連結し、上部支持金具の他端を天板上面側部に連結し、前記上部支持金具の一方又は両方を利用し、該上部支持金具の垂直部の背後に突設したピンに棚板の前部を載置し又は垂直部に取付けた受け金具に載置し又は垂直部にネジ止めするとともに、該棚板の後部を前記貫通孔を利用してバックパネルに連結してなることを特徴とするパネル付きデスク。
【請求項２】
脚部で支持された天板の後縁両側部に縦横に複数の貫通孔を一定間隔毎に形成したバックパネルを立設するとともに、両バックパネル間に幕体を設けてなるパネル付きデスクであって、前記バックパネルには、該バックパネルの下端を天板後縁に連結するとともに、側面視逆Ｌ字形の上部支持金具の一端を前記貫通孔を利用してバックパネルに連結し、上部支持金具の他端を天板上面側部に連結し、前記上部支持金具の両方を利用し、該上部支持金具の水平部とバックパネルの上端にキャビネットを載置するとともに、該キャビネットを少なくとも前記水平部に連結してなることを特徴とするパネル付きデスク。
【請求項３】
前記天板の前部両側部に円柱形状の前方脚部を設けるとともに、後部両側部に円柱形状の後方脚部を設けてなる請求項１又は２記載のパネル付きデスク。
【請求項４】
前記天板の後部両側部に、後方脚部として前記バックパネルと略同幅の脚パネルを間に空間を設けて取付けてなる請求項１又は２記載のパネル付きデスク。
【発明の詳細な説明】
【０００１】
【発明の属する技術分野】
本発明は、パネル付きデスクに係わり、更に詳しくは組立て式で棚板やキャビネットのオプションを装着することが可能なパネル付きデスクに関するものである。
【０００２】
【従来の技術】
従来、天板の後縁の全面にバックパネルを立設したパネル付きデスクは公知である。また、バックパネルの前面に棚板や電話台等のオプションを取付けたデスクも各種提供されている。
【０００３】
また、バックパネルとしては、金属製パネルを始めとして、クロス張りパネル、ピンナップパネル等の各種機能のパネルを採用することも一般的である。
【０００４】
しかし、何れのパネル付きデスクにおいても、天板の後縁両側部に一対のバックパネルを間に空間を設けて立設したものは存在せず、またパネル付きデスクは比較的高価なＯＡ用デスクとして提供されている。
【０００５】
【発明が解決しようとする課題】
本発明は、安価で簡易な組立て式のデスクにおいて、バックパネルを間隔を置いて立設し、そのバックパネル間の空間を新たな機能空間として利用するといった全く斬新なコンセプトの基に構成し、また棚板やキャビネットとも組み合わせて商品展開自由度の高いパネル付きデスクを提供する点にある。
【０００６】
【課題を解決するための手段】
本発明は、前述の課題解決のために、脚部で支持された天板の後縁両側部に縦横に複数の貫通孔を一定間隔毎に形成したバックパネルを立設するとともに、両バックパネル間に幕体を設けてなるパネル付きデスクであって、前記バックパネルには、該バックパネルの下端を天板後縁に連結するとともに、側面視逆Ｌ字形の上部支持金具の一端を前記貫通孔を利用してバックパネルに連結し、上部支持金具の他端を天板上面側部に連結し、前記上部支持金具の一方又は両方を利用し、該上部支持金具の垂直部の背後に突設したピンに棚板の前部を載置し又は垂直部に取付けた受け金具に載置し又は垂直部にネジ止めするとともに、該棚板の後部を前記貫通孔を利用してバックパネルに連結してなるパネル付きデスクを構成した。
【０００７】
また、本発明は、脚部で支持された天板の後縁両側部に縦横に複数の貫通孔を一定間隔毎に形成したバックパネルを立設するとともに、両バックパネル間に幕体を設けてなるパネル付きデスクであって、前記バックパネルには、該バックパネルの下端を天板後縁に連結するとともに、側面視逆Ｌ字形の上部支持金具の一端を前記貫通孔を利用してバックパネルに連結し、上部支持金具の他端を天板上面側部に連結し、前記上部支持金具の両方を利用し、該上部支持金具の水平部とバックパネルの上端にキャビネットを載置するとともに、該キャビネットを少なくとも前記水平部に連結してなるパネル付きデスクを構成した。
【０００８】
そして、前記天板の前部両側部に円柱形状の前方脚部を設けるとともに、後部両側部に円柱形状の後方脚部を設けてなることが好ましい。
【０００９】
更に、前記天板の後部両側部に、後方脚部として前記バックパネルと略同幅の脚パネルを間に空間を設けて取付けてなることも好ましい。
【００１０】
【発明の実施の形態】
次に本発明の実施の形態を添付図面に基づき更に詳細に説明する。図１は、本発明のパネル付きデスクの基本構成である第１実施形態を示し、図中符号１は天板、２は前方脚部、３は後方脚部、４はバックパネル、５は幕体をそれぞれ示している。
【００１１】
そして、本発明に係るパネル付きデスクは、前方脚部２，２と後方脚部３，３で支持された天板１の後縁両側部に一対のバックパネル４，４を間に空間６を設けて立設するとともに、両バックパネル４，４間の空間６に着脱自在に幕体５を取付けてなるものである。
【００１２】
前記バックパネル４には、縦横に複数の貫通孔７，…を一定間隔毎に形成し、該バックパネル４の下端を天板１後縁に連結するとともに、側面視逆Ｌ字形の上部支持金具８の一端を、所定位置の前記貫通孔７に後方から挿入したネジ９を螺合してバックパネル４に連結し、上部支持金具８の他端を天板１上面側部に図示しないが同様にネジ止め等によって連結している。そして、前記両バックパネル４，４の空間６側の対向縁部の上下に、前記貫通孔７，…を利用してクランク状の連結金具１０，…を取付け、前記空間６を埋め尽くす寸法に設定した前記幕体５を、該空間６に配して、その背面を連結金具１０，…に取付けている。尚、前記バックパネル４を天板１上面に立設する構造は、互いの接合面を孔とダボで凹凸嵌合し且つ接着する方法や、公知の引付け連結金具を用いる方法を採用できる。
【００１３】
ここで、前記幕体５としては、景色や模様あるいは絵を前面に形成した化粧パネルの他、通常のクロス張りパネルや木板等のパネル、布地、半透明又は透明なガラス、ホワイトボード、パンチングメタル、インシュレーションボードの中から選ばれた一種又は二種以上の複合体を用い、用途、好みに応じて採用される。つまり、前記幕板５は、前述の異なる機能を有する複数種のものを組み合わせた複合体とすることも可能である。例えば、ホワイトボードの一部にインシュレーションボードを組み込んだ構造のもの、あるいはパネルの一部にガラスを組み込んだ構造のものが挙げられる。また、前記幕体５は、連結金具１０，…を介してネジ止めしているので、着脱自在であり、また変更も自由に行うことができる。更に、両バックパネル４，４間に幕体５を着脱自在に取付ける構造として、両バックパネル４，４の空間６側の対向縁部に互いに対向するように縦溝を形成し、両縦溝に幕体５の両側縁を落とし込み係合する構造でも良い。
【００１４】
また、高さが異なる複数種の前記バックパネル４及び幕体５を用意しておき、前記上部支持金具８を垂直部８Ａと水平部８Ｂからなる側面視逆Ｌ字形とし、垂直部８Ａの下端に直線状の延長金具８Ｃを連結できる構造とすれば、用途、好みに応じてバックパネル４及び幕体５の高さも基本部品を共用して変更することができる。
【００１５】
本実施形態では、前記前方脚部２は、円柱形状のものを用い、後方脚部３は前記バックパネル４と略同幅の脚パネル１１を用い、天板１の後部両側部に互いの間に空間１２を設けて取付けている例を示している。ここで、前記脚パネル１１は、天板１の下面と該脚パネル１１の上部前面とにわたって連結した下部支持金具１３によって強固に取付けられている。また、前記脚パネル１１は、前記バックパネル４と同様に、少なくとも上部に縦横に複数の貫通孔１４，…を所定間隔を置いて設けたものを使用している。但し、前記後方脚部３も前方脚部２と同様に、円柱形状のものを用いても勿論構わない。また、前記天板１の後縁中央部には、円弧状の切欠部１５を形成し、該切欠部１５によって天板１と幕体５に形成される開口を利用して配線コードを挿通することができるようになっている。
【００１６】
次に、本発明の各種の実施形態を図２〜図１２に基づいて説明する。図２は、天板１の横幅の略半分の棚板１６を左右一側に設けた第２実施形態である。前記棚板１６の取付構造は、前記上部支持金具８の一方を利用し、該上部支持金具８の垂直部８Ａの背後に突設したピン１７（図７参照）に前記棚板１６の一側前部を載置するとともに、該棚板１６の後部を前記貫通孔７を利用してバックパネル４にネジ止め連結し、更に棚板１６の他側前部に下設した補助支柱１８を天板１に載置した取付構造となっている。尚、前記棚板１６を上部支持金具８の垂直部８Ａで支持する他の構造として、垂直部８Ａに取付けた別の受け金具に載置する構造又は垂直部８Ａに直接ネジ止めする構造を採用することもんできる。その他は、図１に示したものと同様であるので、同一構造には同一符号を付してその説明は省略する。
【００１７】
また、図３は、天板１の横幅と略同幅の棚板１９を設けた第３実施形態である。本実施形態では、前記上部支持金具８としてバックパネル４の略半分の高さのものを使用し、そして両側の前記上部支持金具８，８の水平部８Ｂ，８Ｂに棚板１９の両側部を載置するとともに、該棚板１９をネジ２０，…で水平部８Ｂ，８Ｂに固定する構造としている。その他は前記同様である。
【００１８】
また、図４は、第１実施形態の基本構成に、オプションとしてキャビネット２１を装着した第４実施形態を示している。つまり、両側の前記上部支持金具８，８の水平部８Ｂ，８Ｂにスペーサ２２を介して下面板２３の両側部を棚板と同様に取付けるとともに、該下面板２３を両バックパネル４，４の上端に載置し、そして下面板２３の両側に側面板２４，２４とその上に上面板２５を連結するとともに、背面に背面板２６（図８参照）を連結し、前面に引違い扉２７，…を装着してキャビネット２１を構成している。前記キャビネット２１は、組立て式のものを例示したが、予め箱状の完成品として作製したキャビネットでも良い。その他は前記同様である。
【００１９】
そして、図５〜図７は、前述の第２実施形態と第４実施形態を組み合わせた第５実施形態を示している。つまり、本実施形態はオプションとして横幅の小さな棚板１６とキャビネット２１を設けたものである。ここで、前記下部支持金具１３として、上部支持金具８と同様なものを用いて脚パネル１１を支持している。この場合、前記下部支持金具１３の垂直部に設けたピン１７を利用して、天板１の下方にも棚板を装着することが可能である。また、前記両脚パネル１１，１１を交叉した補強ステー２８，２８で連結して、横方向の強度を高めている。ここで、各補強ステー２８の脚パネル１１への連結には、前記貫通孔１４を利用してネジ止め構造を採用している。その他は、前記同様である。
【００２０】
また、図８は、第５実施形態において脚パネル１１，１１間の空間１２にオプションとして幕シート２９を装着した第６実施形態を示している。前記幕シート２９は、シート体３０の上下縁の袋部に縁金具３１，３１を挿入し、該縁金具３１の両端を上下部において両脚パネル１１，１１に貫通孔１４，…を利用して取付け、前記空間１２を覆ったものである。その他は、前記同様である。
【００２１】
また、図９及び図１０は、第５実施形態において、横幅の狭い棚板１６の代わりに第３実施形態のような横幅の広い棚板１９をオプションとして設けた第７実施形態を示している。つまり、両上部支持金具８，８のピン１７，１７に、棚板１９の前部を載置するとともに、該棚板１９の両側後端を前記バックパネル４，４に貫通孔７，７を利用してネジ止めしたものである。その他は、前記同様である。
【００２２】
また、図１１は、第６実施形態の幕シート２９の上下寸法を小さくして下部に空間１２を残した第８実施形態を示している。その他は、前記同様である。
【００２３】
そして、図１２は、前記バックパネル４と脚パネル１１を一枚の板体で一体となした第９実施形態を示している。この場合、前方脚部２として伸縮可能なものを用いれば、前記天板１を装着するバックパネル４の貫通孔７又は脚パネル１１の貫通孔１４の位置を変えることで、天板１の高さを調節することができる。また、脚パネル１１と一体であるバックパネル４の支持強度は飛躍的に高くなるので好ましい。その他は、前記同様である。
【００２４】
また、図１３は、前記第２実施形態において、棚板１６を上部支持金具８を用いずに支持した第１０実施形態を示している。つまり、２本の補助支柱１８，１８を棚板１６の前部下面両側に垂下し、天板１の上面に載置するとともに、棚板１６の後端適所をバックパネル４に貫通孔７，…を利用してネジ止めしたものである。
【００２５】
また、図１４は、図１に示した下部支持金具１３を利用して天板１の下方奥部に配線ダクトを設けた第１１実施形態を示している。ここで、前記下部支持金具１３は、天板１と脚パネル１１とを剛性的に連結するために、垂直板１３Ａを有している。そして、前記下部支持金具１３の垂直板１３Ａには開口１３Ｂ（図１参照）を形成し、両下部支持金具１３，１３の開口１３Ｂ，１３Ｂにダクトパイプ３２を貫通させて保持し、該ダクトパイプ３２内に配線コードを挿通できるようにしたものである。
【００２６】
更に、図１５〜図１９は、オプションとして小物入れ３３をバックパネル４に装着した第１２実施形態を示している。本実施形態の小物入れ３３は、図１６に示すように、略四角形のシート体３４の８箇所に孔３５，…を開口したものを用いて構成する。図１６において、左端上下の孔３５Ａ１，３５Ａ２の間隔をＡとし、中央左寄り上下の孔３５Ｂ１，３５Ｂ２の間隔をＢとし、中央右寄り上下の孔３５Ｃ１，３５Ｃ２の間隔をＣとし、右端上下の孔３５Ｄ１，３５Ｄ２の間隔をＤとすれば、Ａ＞Ｄ、Ｂ＞Ｃ、Ｃ＝Ｄとなるように設定している。また、孔３５Ｃ１，３５Ｃ２と孔３５Ｄ１，３５Ｄ２は、前記バックパネル４の貫通孔７，…の位置に一致させている。
【００２７】
そして、図１７に示すように、前記シート体３４を中央部で折り返し、前記孔３５Ａ１，３５Ａ２と孔３５Ｄ１，３５Ｄ２とをそれぞれ重ね合わせて、前記貫通孔７，７に締結具３６，３６で取付けるとともに、同様に前記孔３５Ｂ１，３５Ｂ２と孔３５Ｃ１，３５Ｃ２とをそれぞれ重ね合わせて、前記貫通孔７，７に締結具３６，３６で取付けると、バックパネル４側に位置するシート部３７は略バックパネル４表面に沿った形状となり、表側に位置するシート部３８は手前に膨らんだ形状となり、このシート部３８の膨らみによって上方へ開放した収納空間３９が形成されるので、この空間に上方から筆記具や定規等の小物を収納することができる。
【００２８】
また、図１８に示すように、前記シート体３４を中央部で折り返し、前記孔３５Ａ１，３５Ａ２と孔３５Ｄ１，３５Ｄ２とをそれぞれ重ね合わせて、前記貫通孔７，７に締結具３６，３６で取付けると、シート体３４の折り返し部４０が丸く膨らんだ形状となり、側方へ開放した収納空間４１が形成されるので、この空間に横方向から長尺の小物を挿入して収納することができる。
【００２９】
ここで、前記締結具３６は、図１９に示すように従来から公知のものである。つまり、前記締結具３６は、頭付きの雄ネジ３６Ａと頭付きの雌ネジ３６Ｂのセットとなっており、例えば図示するように、孔３５Ａ１と孔３５Ｄ１とに雄ネジ３６Ａを通して所定の貫通孔７に表側から挿入し、他方貫通孔７の裏側から雌ネジ３６Ｂを挿入して貫通孔７内で互いに螺合して取付けるものである。
【００３０】
このように、各部品を全て組立て式にすることにより、在庫管理、搬送が容易になり、更には部品の組合せやオプションの追加、変更により商品展開の自由度は高くなり、ニーズに合ったパネル付きデスクを提供できるのである。
【００３１】
【発明の効果】
以上にしてなる請求項１に係る発明のパネル付きデスクによれば、縦横に複数の貫通孔を一定間隔毎に形成したバックパネルの間に、使用者の用途、好みに合わせて様々な幕体を装着することができ、また構造が簡単であるので安価に提供できるのである。また、バックパネルの貫通孔を利用して、幕体や棚板などのオプションを取付けることができ、また高さの異なる上部支持金具を取付けることができ、更に棚板の取付け高さ、横方向位置に対する自由度が高まるのである。更に、棚板を簡単に取付けることができ、しかも棚板の取付け高さ、横方向位置に対する自由度が高まるのである。
【００３２】
請求項２によれば、縦横に複数の貫通孔を一定間隔毎に形成したバックパネルの間に、使用者の用途、好みに合わせて様々な幕体を装着することができ、また構造が簡単であるので安価に提供できるのである。また、バックパネルの貫通孔を利用して、幕体や棚板などのオプションを取付けることができ、また高さの異なる上部支持金具を取付けることができ、更に棚板の取付け高さ、横方向位置に対する自由度が高まるのである。更に、バックパネルの上部にキャビネットを簡単に取付けることができ、その支持強度も高いものとなる。
【００３３】
請求項３によれば、４本の円柱形状の脚部で天板を支持することができる。
【００３４】
請求項４によれば、バックパネルと脚パネルとが、天板上下でバランス良く配置されるので、外観性に優れるとともに、両脚パネル間の空間を利用して通気や、配線コードの配設が可能となる。
【図面の簡単な説明】
【図１】  本発明のパネル付きデスクの第１実施形態を示す斜視図である。
【図２】  第２実施形態を示す斜視図である。
【図３】  第３実施形態を示す斜視図である。
【図４】  第４実施形態を示す斜視図である。
【図５】  第５実施形態を示す斜視図である。
【図６】  同じく第５実施形態を示す正面図である。
【図７】  同じく第５実施形態を示す側面図である。
【図８】  第６実施形態を示す斜視図である。
【図９】  第７実施形態を示す正面図である。
【図１０】  同じく第７実施形態を示す側面図である。
【図１１】  第８実施形態を示す斜視図である。
【図１２】  第９実施形態を示す側面図である。
【図１３】  第１０実施形態を示す斜視図である。
【図１４】  第１１実施形態を示す正面図である。
【図１５】  第１２実施形態を示す斜視図である。
【図１６】  同じく第１２実施形態を示すシート体の平面図図である。
【図１７】  同じく第１２実施形態の第１使用例を示す斜視図である。
【図１８】  同じく第１２実施形態の第２使用例を示す斜視図である。
【図１９】  同じく第１２実施形態を示す部分断面図である。
【符号の説明】
１  天板                ２  前方脚部
３  後方脚部            ４  バックパネル
５  幕体                ６  空間
７  貫通孔              ８  上部支持金具
８Ａ  垂直部            ８Ｃ  延長金具
８Ｂ  水平部            ９  ネジ
１０  連結金具          １１  脚パネル
１２  空間              １３  下部支持金具
１４  貫通孔            １５  切欠部
１６  棚板              １７  ピン
１８  補助支柱          １９  棚板
２０  ネジ              ２１  キャビネット
２２  スペーサ          ２３  下面板
２４  側面板            ２５  上面板
２６  背面板            ２７  引違い扉
２８  補強ステー        ２９  幕シート
３０  シート体          ３１  縁金具
３２  ダクトパイプ      ３３  小物入れ
３４  シート体          ３５  孔
３６  締結具            ３７  シート部
３８  シート部          ３９  収納空間
４０  折り返し部        ４１  収納空間
【図１】
0003685022.tif 000002
【図２】
0003685022.tif 000003
【図３】
0003685022.tif 000004
【図４】
0003685022.tif 000005
【図５】
0003685022.tif 000006
【図６】
0003685022.tif 000007
【図７】
0003685022.tif 000008
【図８】
0003685022.tif 000009
【図９】
0003685022.tif 000010
【図１０】
0003685022.tif 000011
【図１１】
0003685022.tif 000012
【図１２】
0003685022.tif 000013
【図１３】
0003685022.tif 000014
【図１４】
0003685022.tif 000015
【図１５】
0003685022.tif 000016
【図１６】
0003685022.tif 000017
【図１７】
0003685022.tif 000018
【図１８】
0003685022.tif 000019
【図１９】
0003685022.tif 000020